(57)【要約】【課題】地面に置かずに容易に設置することができ、通行の妨げになることもない音声警報器を提供する。【解決手段】人体検知センサ３、音声記憶部、スピーカ５及び制御部が設けられた本体ケース１を備えるとともに、本体ケース１の前面に人体検知センサ３及びスピーカ５を配置し、本体ケース１の背面に設けたマグネット２の吸着により金属製の壁面Ｂ等の任意の取付対象物に取付けるようにしたので、地面に置かずに設置することができ、狭い場所や傾斜面など、任意の場所に容易に設置することができる。この場合、カラーコーンのように通行の妨げになることがないので、人員や車両等の接触により位置ずれや破損を生ずることがないという利点もある。【選択図】図５
0003135209.tif 000002
【実用新案登録請求の範囲】
【請求項１】
人の接近を検知する人体検知センサと、少なくとも一種類の音声メッセージが記憶された音声記憶部と、音声記憶部の音声メッセージを出力するスピーカと、人体検知センサによって人の接近が検知されると音声記憶部の音声メッセージをスピーカから出力する制御部とを備えた音声警報器において、
前記人体検知センサ、音声記憶部、スピーカ及び制御部が設けられた本体ケースを備え、
人体検知センサ及びスピーカを本体ケースの前面に配置するとともに、
本体ケースの背面には任意の取付対象物に吸着可能なマグネットを設けた
ことを特徴とする音声警報器。
【請求項２】
前記音声記憶部に記憶された複数種類の音声メッセージのうち任意の音声メッセージに切替可能な音声切替スイッチを備えた
ことを特徴とする請求項１記載の音声警報器。
【考案の詳細な説明】
【技術分野】
【０００１】
本考案は、例えば工事現場の任意の場所に設置され、音声メッセージによって作業者や通行人に注意を与えるための音声警報器に関するものである。
【背景技術】
【０００２】
一般に、建設工事の現場には、地面の開口部、落下物、建設車両の通行など、危険箇所が多く存在するため、これらの危険箇所に接近する作業者や通行人に注意を与えて事故を未然に防止する必要がある。
【０００３】
そこで、従来では、人の接近を検知すると所定の音声メッセージを出力し、音声メッセージによって作業者や通行人に注意を与えるようにした音声警報器が知られている（例えば、特許文献１参照。）。
【特許文献１】特開平８−３０５９６４号公報
【考案の開示】
【考案が解決しようとする課題】
【０００４】
しかしながら、前記従来の音声警報器は、工事現場等で用いられるカラーコーンに取付けられているため、狭い場所や傾斜面など、カラーコーンが置けない場所には設置することができなかった。また、設置可能な場所であっても、地面に置かれたカラーコーンによって通行の妨げになることがあるため、人員や車両等の接触により位置ずれや破損を生じやすいという問題点もあった。
【０００５】
本考案は前記問題点に鑑みてなされたものであり、その目的とするところは、地面に置かずに容易に設置することができ、通行の妨げになることもない音声警報器を提供することにある。
【課題を解決するための手段】
【０００６】
本考案は前記目的を達成するために、人の接近を検知する人体検知センサと、少なくとも一種類の音声メッセージが記憶された音声記憶部と、音声記憶部の音声メッセージを出力するスピーカと、人体検知センサによって人の接近が検知されると音声記憶部の音声メッセージをスピーカから出力する制御部とを備えた音声警報器において、前記人体検知センサ、音声記憶部、スピーカ及び制御部が設けられた本体ケースを備え、人体検知センサ及びスピーカを本体ケースの前面に配置するとともに、本体ケースの背面には任意の取付対象物に吸着可能なマグネットを設けている。
【０００７】
これにより、本体ケースのマグネットを任意の取付対象物に吸着することにより、本体ケースが取付対象物に固定されることから、地面に置かずに設置することができる。
【考案の効果】
【０００８】
本考案によれば、地面に置かずに設置することができるので、狭い場所や傾斜面など、任意の場所に容易に設置することができる。この場合、カラーコーンのように通行の妨げになることがないので、人員や車両等の接触により位置ずれや破損を生ずることがないという利点もある。
【考案を実施するための最良の形態】
【０００９】
図１乃至図５は本考案の一実施形態を示すもので、図１は音声警報器の正面側斜視図、図２はその背面側斜視図、図３はその構成を示すブロック図、図４は制御部の動作を示すフローチャート、図５は使用状態を示す側面図である。
【００１０】
この音声警報器は、箱形の本体ケース１と、本体ケース１の背面に取付けられた一対のマグネット２と、人の接近を検知する人体検知センサ３と、複数種類の音声メッセージが記憶された音声記憶部４と、音声記憶部４の音声メッセージを出力するスピーカ５と、任意の音声メッセージに切替可能な音声切替スイッチ６と、音声メッセージの出力を制御する制御部７とを備えている。
【００１１】
本体ケース１は前後方向に薄型に形成され、その前面には音声出力用の複数の貫通孔１ａが設けられている。また、本体ケース１の一側面にはメインスイッチ８が設けられ、本体ケース１の背面には図示しない内部の電池収納部を開閉する蓋１ｂが設けられている。
【００１２】
各マグネット２は幅方向両端側が後方に屈曲した金属製の基板２ａに固着され、基板２ａを介して本体ケース１の背面の幅方向両側にそれぞれ取付けられている。
【００１３】
人体検知センサ３は焦電型赤外線センサ等の周知の機器からなり、本体ケース１の前面に配置されている。人体検知センサ３は、検知信号を増幅器３ａで増幅するとともに、コンパレータ３ｂによって所定の閾値以上の信号を制御部６に出力するようになっている。
【００１４】
音声記憶部４は音声合成ＩＣからなり、予め記憶されている音声メッセージの音声信号を増幅器４ａで増幅してスピーカ５に出力するようになっている。
【００１５】
スピーカ５は本体ケース１内の前面側に設けられ、本体ケース１の各貫通孔１ａを介して外部に音声を出力するようになっている。
【００１６】
音声切替スイッチ６は押ボタンスイッチからなり、本体ケース１の背面に配置されている。
【００１７】
制御部７はマイクロコンピュータによって構成され、コンパレータ３ｂ、音声記憶部４及び音声切替スイッチ６に接続されている。尚、各増幅器３ａ、コンパレータ３ｂ、音声記憶部４及び制御部７は図示しない回路基板に設けられ、本体ケース１内に配置されている。
【００１８】
ここで、制御部７の動作について、図４のフローチャートを参照して説明する。まず、メインスイッチ７がオンにされ（Ｓ１）、人体検知センサ３によって人体Ａが検知されると（Ｓ２）、音声記憶部４に記憶された複数種類の音声メッセージのうち、選択されている一つの音声メッセージ、例えば「開口部に注意して下さい」等のメッセージをスピーカ５から出力する（Ｓ３）。また、音声切替スイッチ６が押圧操作されると（Ｓ４）、選択されている音声メッセージを他の音声メッセージに切替える（Ｓ５）。この場合、音声切替スイッチ６を一回オン操作するごとに、他の音声メッセージ、例えば「落下物に注意して下さい」、「安全帯を着用して下さい」等のメッセージに順次切替わるようになっている。
【００１９】
以上のように構成された音声警報器は、図５に示すように任意の場所の金属製の壁面Ｂに取付けて使用する。即ち、本体ケース１の各マグネット２を壁面Ｂに吸着することにより、本体ケース１が壁面Ｂに固定される。この場合、本体ケース１の背面が各マグネット２によって壁面Ｂに固定されると、前面に設けた人体検知センサ３及びスピーカ５が前方に臨むことから、地面に置かずに設置することができる。
【００２０】
このように、本実施形態の音声警報器によれば、人体検知センサ３、音声記憶部４、スピーカ５及び制御部７が設けられた本体ケース１を備えるとともに、本体ケース１の前面に人体検知センサ３及びスピーカ５を配置し、本体ケース１の背面に設けたマグネット２の吸着により金属製の壁面Ｂ等の任意の取付対象物に取付けるようにしたので、地面に置かずに設置することができ、狭い場所や傾斜面など、任意の場所に容易に設置することができる。この場合、カラーコーンのように通行の妨げになることがないので、人員や車両等の接触により位置ずれや破損を生ずることがないという利点もある。
【００２１】
また、音声記憶部４に記憶された複数種類の音声メッセージを音声切替スイッチ６によって任意の音声メッセージに切替えるようにしたので、例えば設置場所に応じた複数種類の内容のメッセージを記憶しておくことにより、注意内容の異なる複数の設置場所に設置することが可能となる。
【００２２】
尚、前記実施形態では、工事現場に設置して使用する場合を示したが、店舗や家屋等に設置して不法侵入者に警報を出力するようにするなど、他の用途に用いることも可能である。
【図面の簡単な説明】
【００２３】
【図１】本考案の一実施形態を示す音声警報器の正面側斜視図
【図２】音声警報器の背面側斜視図
【図３】音声警報器の構成を示すブロック図
【図４】制御部の動作を示すフローチャート
【図５】使用状態を示す側面図
【符号の説明】
【００２４】
１…本体ケース、２…マグネット、３…人体検知センサ、４…音声記憶部、５…スピーカ、６…音声切替スイッチ、７…制御部、Ａ…人体、Ｂ…壁面。
【図１】
0003135209.tif 000003
【図２】
0003135209.tif 000004
【図３】
0003135209.tif 000005
【図４】
0003135209.tif 000006
【図５】
0003135209.tif 000007